(57)【要約】【課題】全体形状が変化可能であるとともに、多様な材料を採用可能で、かつ施工時に端材が生じるのを抑制すること。【解決手段】構造物に沿って上下方向に延びる雨水排水構造の一部を構成する上方筒部と、該上方筒部よりも下方に配設された下方筒部３と、を接続する継手であって、上方筒部から下方筒部に至るように配置され隣り合うもの同士が互いに接続された同一形状の複数の継手筒部材１１を備え、継手筒部材は、上端部１２が下端部１３よりも大径に形成され、上端部には、直上に配置された上側の継手筒部材の下端部が隙間Ａをもって挿入状態で嵌合され、下端部の外周面には、該下端部が他の継手筒部材の上端部に挿入されたときに、該上端部の内周面に設けられた被係合部１５に係合される係合部１７が形成されている排水継手１０を提供する。【選択図】図３
2010265725.tif 000002
【特許請求の範囲】
【請求項１】
構造物に沿って上下方向に延びる雨水排水構造の一部を構成する上方筒部と、該上方筒部よりも下方に配設された下方筒部と、を接続する排水継手であって、
前記上方筒部から前記下方筒部に至るように配置され隣り合うもの同士が互いに接続された同一形状の複数の継手筒部材を備え、
前記継手筒部材は、上端部が下端部よりも大径に形成され、
前記上端部には、直上に配置された上側の継手筒部材の下端部が隙間をもって挿入状態で嵌合され、
前記下端部の外周面には、該下端部が他の継手筒部材の上端部に挿入されたときに、該上端部の内周面に設けられた被係合部に係合される係合部が形成されていることを特徴とする排水継手。
【請求項２】
請求項１記載の排水継手であって、
前記継手筒部材には、前記隙間を埋める弾性体リング部が備えられていることを特徴とする排水継手。
【請求項３】
請求項１又は２記載の排水継手であって、
前記継手筒部材は、前記上端部と前記下端部とが上端部側から下端部側に向かうに従い漸次縮径する絞り部を介して連結されて形成されていることを特徴とする排水継手。
【請求項４】
構造物に沿って上下方向に延びる雨水排水構造の一部を構成する上方筒部と、
該上方筒部よりも下方に配設された下方筒部と、
請求項１から３いずれか１項に記載の排水継手と、
を備える構造物用雨水排水構造における筒部の接続構造であって、
前記排水継手の上端部は、前記上方筒部に装着可能に形成され、
前記排水継手の下端部の外径は、前記下方筒部の内径よりも小さいことを特徴とする構造物用雨水排水構造における筒部の接続構造。
【発明の詳細な説明】
【技術分野】
【０００１】
本発明は、構造物に沿って上下方向に延びる雨水排水構造の一部を構成する上方筒部と、該上方筒部よりも下方に配設された下方筒部と、を接続する排水継手、およびこの排水継手を備える構造物用雨水排水構造における筒部の接続構造に関する。
【背景技術】
【０００２】
この種の排水継手は、上方筒部および下方筒部それぞれの水平方向における位置が異なる場合であっても両筒部を接続できるように全体形状が変化可能であることが望まれている。そこで、この種の排水継手として、例えば下記特許文献１に示される軒樋と竪樋との間に介装された呼び樋のように、一体に形成された蛇腹状の構成を採用することが考えられる。
【先行技術文献】
【特許文献】
【０００３】
【特許文献１】特開平７−２２９２５５号公報
【発明の概要】
【発明が解決しようとする課題】
【０００４】
しかしながら、前記従来の排水継手では、一体に形成された蛇腹状の構成なので、この排水継手の全体形状を変化可能とするためには、排水継手の材料として、例えば可塑剤を含有させるなどして高い可塑性を具備させた合成樹脂材料を採用しなければならず、可塑性の低い材料を採用できないという問題があった。
また、前記従来の排水継手を用いて上方筒部と下方筒部とを接続する過程においては、まず、排水継手として両筒部間を接続するために必要と想定される長さ以上のものを製造する。そして、排水継手によって両筒部を接続する施工時に、排水継手において不要となった長さ分を切断して接続するため、加工せずには排水継手として再利用できない端材が生じるという問題もあった。
【０００５】
本発明は、前述した事情に鑑みてなされたものであって、全体形状が変化可能であるとともに、多様な材料を採用可能で、かつ施工時に端材が生じるのを抑制することができる排水継手、および構造物用雨水排水構造における筒部の接続構造を提供することである。
【課題を解決するための手段】
【０００６】
前記課題を解決するために、本発明は以下の手段を提案している。
本願の請求項１に係る排水継手は、構造物に沿って上下方向に延びる雨水排水構造の一部を構成する上方筒部と、該上方筒部よりも下方に配設された下方筒部と、を接続する排水継手であって、前記上方筒部から前記下方筒部に至るように配置され隣り合うもの同士が互いに接続された同一形状の複数の継手筒部材を備え、前記継手筒部材は、上端部が下端部よりも大径に形成され、前記上端部には、直上に配置された上側の継手筒部材の下端部が隙間をもって挿入状態で嵌合され、前記下端部の外周面には、該下端部が他の継手筒部材の上端部に挿入されたときに、該上端部の内周面に設けられた被係合部に係合される係合部が形成されていることを特徴とする。
【０００７】
また、本願の請求項２に係る排水継手は、請求項１記載の排水継手であって、前記継手筒部材には、前記隙間を埋める弾性体リング部が備えられていることを特徴とする。
【０００８】
また、本願の請求項３に係る排水継手は、請求項１又は２記載の排水継手であって、前記継手筒部材は、前記上端部と前記下端部とが上端部側から下端部側に向かうに従い漸次縮径する絞り部を介して連結されて形成されていることを特徴とする。
【０００９】
また、本願の請求項４に係る構造物用雨水排水構造における筒部の接続構造は、構造物に沿って上下方向に延びる雨水排水構造の一部を構成する上方筒部と、該上方筒部よりも下方に配設された下方筒部と、請求項１から３いずれか１項に記載の排水継手と、を備える構造物用雨水排水構造における筒部の接続構造であって、前記排水継手の上端部は、前記上方筒部に装着可能に形成され、前記排水継手の下端部の外径は、前記下方筒部の内径よりも小さいことを特徴とする。
【発明の効果】
【００１０】
本発明によれば、前記した解決手段により下記の作用および効果を奏する。
本願の請求項１記載の発明によれば、上方筒部から下方筒部に至るように配置され隣り合うもの同士が互いに接続された継手筒部材を備えているので、上方筒部と下方筒部とを接続することができる。しかも、上端部に、直上に配置された上側の継手筒部材の下端部が隙間をもって挿入状態で嵌合され、下端部の外周面に、前記係合部が形成されているので、互いに隣り合う継手筒部材における上側の継手筒部材の下端部が、下側の継手筒部材の上端部から抜け出てしまうのを抑制し、両継手筒部材の接続を確実なものとすることができる。
また、上端部に、直上に配置された上側の継手筒部材の下端部が隙間をもって挿入状態で嵌合されているので、上側の継手筒部材の下端部を下側の継手筒部材の上端部に対して向きおよび角度を調整しながら傾斜させることができる。これにより、互いに隣り合う継手筒部材を接続させつつ、下側の継手筒部材に対する上側の継手筒部材の姿勢を変化させることが可能になり、排水継手の全体形状を変化させることができる。しかも、排水継手の全体形状を変化させるために継手筒部材自体を変形させる必要が無いので、継手筒部材に例えば可塑性の低い材料を採用することも可能になり、排水継手の材料として多様な材料を採用することができる。
また、この排水継手が、隣り合うもの同士が互いに接続された同一形状の複数の継手筒部材を備えているので、継手筒部材の数を調整することで排水継手の長さを調整することが可能になり、施工時に、上方筒部と下方筒部との間の長さに対応するように排水継手の長さ（継手筒部材の数）を調整することで、端材が生じるのを抑制することができる。
【００１１】
また、本願の請求項２記載の発明によれば、継手筒部材に、前記隙間を埋める弾性体リング部が備えられているので、前述の作用効果を確保した上で、互いに隣り合う継手筒部材における上側の継手筒部材の下端部と下側の継手筒部材の弾性体リング部との間で止水性を確保することができる。
すなわち、前記隙間は埋められているものの、この隙間を埋めるのが弾性体リング部なので、弾性体リング部を弾性変形させることで、上側の継手筒部材の下端部を下側の継手筒部材の上端部に対して向きおよび角度を調整しながら傾斜させることができる。しかもこの際、弾性体リング部が弾性変形することで、下端部と弾性体リング部とを密接させつつ傾斜させることが可能になり、上側の継手筒部材の下端部と下側の継手筒部材の弾性体リング部との間で止水性を確保することができる。
【００１２】
また、本願の請求項３記載の発明によれば、継手筒部材が、上端部と下端部とが上端部側から下端部側に向かうに従い漸次縮径する絞り部を介して連結されて形成されているので、上端部側から下端部側への雨水の排水が、絞り部の内周面を伝って円滑に行われることになる。
【００１３】
また、本願の請求項４記載の発明によれば、排水継手の上端部が、上方筒部に装着可能に形成されているので、排水継手の上端部を上方筒部に装着させることで、排水継手を上方筒部に接続することができる。また、排水継手の下端部の外径が、下方筒部の内径よりも小さいので、排水継手の下端部を下方筒部内に挿入することで、排水継手を下方筒部に接続することができる。
以上より、上方筒部と下方筒部とを排水継手のみによって接続することが可能になり、排水継手と上方筒部もしくは下方筒部とをそれぞれ接続する接続部材を不要とすることができる。
なお、継手筒部材の上端部を、上方筒部に装着可能に形成し、継手筒部材の下端部の外径を、下方筒部の内径よりも小さくした上で、排水継手の上端部を、最も上側の継手筒部材の上端部で構成し、かつ排水継手の下端部を、最も下側の継手筒部材の下端部で構成した場合には、排水継手の構成要素として、継手筒部材と上方筒部もしくは下方筒部とをそれぞれ接続するための継手筒部材とは異なる構成要素を不要なものとすることができる。
【図面の簡単な説明】
【００１４】
【図１】本発明の一実施形態に係る構造物用雨水排水構造における筒部の接続構造を示す側面図である。
【図２】図１に示す構造物用雨水排水構造における筒部の接続構造に備えられた排水継手を構成する継手筒部材の縦断面図である。
【図３】図１に示す構造物用雨水排水構造における筒部の接続構造に備えられた排水継手の縦断面図である。
【発明を実施するための形態】
【００１５】
以下、図面を参照し、本発明の一実施形態に係る構造物用雨水排水構造における筒部の接続構造を説明する。
図１に示すように、構造物用雨水排水構造における筒部の接続構造１は、構造物（図示せず）に沿って上下方向（鉛直方向）に延びる雨水排水構造の一部を構成する上方筒部２と、該上方筒部２よりも下方に配設された下方筒部３と、これらの両筒部２、３を接続する排水継手１０と、を備えている。なお、前記構造物としては、例えば建物などが挙げられる。
【００１６】
上方筒部２は、例えば集水器や軒樋において下方に延びる接続筒部、あるいは竪樋の下側部分などで構成される。
下方筒部３は、上方筒部２と同様に、前記雨水排水構造の一部を構成しており、例えば竪樋の上側部分などで構成される。
また、図示の例では、上方筒部２および下方筒部３は、それぞれの水平方向における位置が互いに異なり、また、上方筒部２の中心軸線および下方筒部３の中心軸線は、上下方向に沿って延びている。
【００１７】
排水継手１０は、上方筒部２から下方筒部３に至るように配置され隣り合うもの同士が互いに接続された同一形状の複数の継手筒部材１１を備えている。
図２に示すように、継手筒部材１１は、上端部１２が下端部１３よりも大径に形成され、
ている。本実施形態では、継手筒部材１１は、多段の円筒状に形成されており、上端部１２と下端部１３とが上端部１２側から下端部１３側に向かうに従い漸次縮径する絞り部１４を介して連結されて形成されている。図示の例では、上端部１２、下端部１３および絞り部１４は、いずれも同軸に配設されている。
なお、本明細書において、単に上端部１２、下端部１３と称した場合には、継手筒部材１１の上端部１２、下端部１３をそれぞれ意味する。
【００１８】
上端部１２は、上方筒部２に装着可能に形成されている。本実施形態では、上端部１２は、上方筒部２を径方向の外側から囲繞した状態で上方筒部２に装着されている。図示の例では、上端部１２は、継手筒部材１１の軸方向の外側に位置する部分が拡径する多段状に形成されており、この上端部１２において拡径している拡径部分１２ａが上方筒部２の開口端に外嵌可能に形成されている。
【００１９】
上端部１２の内周面には、被係合部１５が設けられている。本実施形態では、被係合部１５は、上端部１２と同軸に配設されるとともに、外周面が全周にわたって上端部１２の内周面に連結された環状に形成されている。図示の例は、被係合部１５の外周面は、前記拡径部分１２ａの内周面において、上端部１２内に形成された段部１２ｂに連なる部分に全周にわたって接着されて連結されている。さらに、被係合部１５の下端面の外周部分は、前記段部１２ｂにおいて外側を向く面に接着されており、これにより、被係合部１５は、上端部１２に強固に連結されている。
【００２０】
また、図３に示すように、被係合部１５の内径は、下端部１３の外径よりも大きくなっている。
そして、上端部１２には、直上に配置された上側の継手筒部材１１の下端部１３が隙間Ａをもって挿入状態で嵌合されている。本実施形態では、互いに隣り合う継手筒部材１１における上側の継手筒部材１１の下端部１３が、下側の継手筒部材１１の上端部１２における被係合部１５内に前記隙間Ａをもって挿入状態で嵌合されている。
【００２１】
また、本実施形態では、継手筒部材１１には、前記隙間Ａを埋める弾性体リング部１６が備えられている。弾性体リング部１６は、上端部１２と同軸に配設されるとともに、外周面が全周にわたって被係合部１５の内周面に連結されている。弾性体リング部１６の内径は、継手筒部材１１の下端部１３の外径と同径もしくは前記外径よりも若干小さくなっており、これにより、弾性体リング部１６は、前記隙間Ａを埋めることができる。
また、弾性体リング部１６は、例えばゴム材料などで形成されている。
【００２２】
また、下端部１３の外周面には、該下端部１３が他の継手筒部材１１の上端部１２に挿入されたときに、該上端部１２に設けられた被係合部１５に係合される係合部１７が形成されている。
図示の例では、係合部１７は、下端部１３の開口端の外周面に全周にわたって突設されるとともに上端部１２側に向かうに従い漸次拡径するテーパー形状に形成されている。また、係合部１７の外径は、弾性体リング部１６の外径よりも小さくなっている。つまり、係合部１７が下端部１３の外周面から径方向（上端部１２の径方向）に突出する大きさである係合部１７の突出高さは、前記隙間Ａの径方向の大きさよりも小さくなっている。
また、下端部１３の外径は、下方筒部３の内径よりも小さくなっている。
【００２３】
以上のように構成された排水継手１０においては、図２に示すように、最も上側の継手筒部材１１の上端部１２が、排水継手１０の上端部１０ａを構成しており、この排水継手１０の上端部１０ａ（最も上側の継手筒部材１１の上端部１２）が、上方筒部２の開口端に外嵌されて上方筒部２に装着されることで、排水継手１０は上方筒部２に接続されている。
また、図３に示すように、最も下側の継手筒部材１１の下端部１３が、排水継手１０の下端部１０ｂを構成しており、この排水継手１０の下端部１０ｂ（最も下側の継手筒部材１１の下端部１３）が、下方筒部３の内部に挿入されることで、排水継手１０は下方筒部３に接続されている。図示の例では、下方筒部３の開口上端縁には、最も下側の継手筒部材１１における絞り部１４の外周面が当接している。なお、排水継手１０の下端部１０ｂを下方筒部３に接続するには、排水継手１０の下端部１０ｂが下方筒部３の内部に挿入されていれば良く、最も下側の継手筒部材１１の絞り部１４の外周面は、下方筒部３の開口上端縁に当接していなくても良い。
【００２４】
また、最も上側の継手筒部材１１の上端部１２は、上方筒部２に装着されることで保持され、最も上側の継手筒部材１１を除く全ての継手筒部材１１は、当該継手筒部材１１に対して上側に位置する上側の継手筒部材１１の係合部１７が、当該継手筒部材１１の弾性体リング部１６に係合することにより、上側の継手筒部材１１に吊り下げられるようにして保持されている。
【００２５】
次に、以上のように構成された排水継手１０の作用について説明する。以下では、排水継手１０を形成する際に、互いに隣り合う継手筒部材１１を接続する方法について説明する。
この際、上側の継手筒部材１１の下端部１３と下側の継手筒部材１１の上端部１２とを位置合わせした上で両継手筒部材１１を接近させて下端部１３を被係合部１５内（上端部１２内）に挿入する。本実施形態では、前記隙間Ａを埋める弾性体リング部１６が備えられているとともに、弾性体リング部１６の内径が、継手筒部材１１の下端部１３の外径と同径もしくは前記外径よりも若干小さく、かつ係合部１７の外径が、弾性体リング部１６の外径よりも若干小さくなっていることから、係合部１７と弾性体リング部１６とを、継手筒部材１１の軸方向に互いに乗り越えさせて下端部１３を被係合部１５内に挿入する。
【００２６】
ここで、本実施形態では、弾性体リング部１６を弾性変形させながら係合部１７と弾性体リング部１６とを互いに乗り越えさせることが可能になり、この乗り越えに要する力を低減することができる。さらに、本実施形態では、係合部１７が、下端部１３の開口端の外周面に全周にわたって突設されるとともに上端部１２側に向かうに従い漸次拡径するテーパー形状に形成されているので、前述の乗り越えに要する力を一層低減することができる。
【００２７】
なお、接続された両継手筒部材１１を離脱させる場合には、上側の継手筒部材１１の下端部１３を下側の継手筒部材１１の上端部１２から引き抜くように両継手筒部材１１を相対的に移動させる。この過程においても、係合部１７と弾性体リング部１６とを互いに乗り越えさせるものの、やはり前述のように、弾性体リング部１６を弾性変形させながら係合部１７と弾性体リング部１６とを互いに乗り越えさせるができる。
【００２８】
以上説明したように、本実施形態に係る排水継手１０によれば、上方筒部２から下方筒部３に至るように配置され隣り合うもの同士が互いに接続された継手筒部材１１を備えているので、上方筒部２と下方筒部３とを接続することができる。しかも、上端部１２に、直上に配置された上側の継手筒部材１１の下端部１３が前記隙間Ａをもって挿入状態で嵌合され、下端部１３の外周面に、前記係合部１７が形成されているので、互いに隣り合う継手筒部材１１における上側の継手筒部材１１の下端部１３が、下側の継手筒部材１１の上端部１２から抜け出てしまうのを抑制し、両継手筒部材１１の接続を確実なものとすることができる。
【００２９】
また、上端部１２に、直上に配置された上側の継手筒部材１１の下端部１３が前記隙間Ａをもって挿入状態で嵌合されているので、上側の継手筒部材１１の下端部１３を下側の継手筒部材１１の上端部１２に対して向きおよび角度を調整しながら傾斜させることができる。これにより、互いに隣り合う継手筒部材１１を接続させつつ、下側の継手筒部材１１に対する上側の継手筒部材１１の姿勢を変化させることが可能になり、排水継手１０の全体形状を変化させることができる。
しかも、排水継手１０の全体形状を変化させるために継手筒部材１１自体を変形させる必要が無いので、継手筒部材１１に例えば可塑性の低い材料を採用することも可能になり、排水継手１０の材料として多様な材料を採用することができる。これにより、合成樹脂材料などの高分子材料を用いる場合であっても可塑剤を用いずに製造することが可能になり、環境に与える負荷を低減することができる。また、用途にあわせて耐熱性や強度の高い材料（例えば、金属材料など）を採用することもできる。
【００３０】
また、この排水継手１０が、隣り合うもの同士が互いに接続された同一形状の複数の継手筒部材１１を備えているので、継手筒部材１１の数を調整することで排水継手１０の長さを調整することが可能になり、施工時に、上方筒部２と下方筒部３との間の長さに対応するように排水継手１０の長さ（継手筒部材１１の数）を調整することで、端材が生じるのを抑制することができる。
【００３１】
また、継手筒部材１１に、前記隙間Ａを埋める弾性体リング部１６が備えられているので、前述の作用効果を確保した上で、互いに隣り合う継手筒部材１１における上側の継手筒部材１１の下端部１３と下側の継手筒部材１１の弾性体リング部１６との間で止水性を確保することができる。
すなわち、前記隙間Ａは埋められているものの、この前記隙間Ａを埋めるのが弾性体リング部１６なので、弾性体リング部１６を弾性変形させることで、上側の継手筒部材１１の下端部１３を下側の継手筒部材１１の上端部１２に対して向きおよび角度を調整しながら傾斜させることができる。しかもこの際、弾性体リング部１６が弾性変形することで、下端部１３と弾性体リング部１６とを密接させつつ傾斜させることが可能になり、上側の継手筒部材１１の下端部１３と下側の継手筒部材１１の弾性体リング部１６との間で止水性を確保することができる。
さらに、本実施形態では、下端部１３と弾性体リング部１６とを密接させつつ傾斜させることができるので、互いに密接される下端部１３と弾性体リング部１６との間に生じる摩擦力によって、下端部１３の傾斜姿勢を保持することができると考えられる。
【００３２】
また、継手筒部材１１が、上端部１２と下端部１３とが上端部１２側から下端部１３側に向かうに従い漸次縮径する絞り部１４を介して連結されて形成されているので、上端部１２側から下端部１３側への雨水の排水が、絞り部１４の内周面を伝って円滑に行われることになる。
【００３３】
また、本実施形態に係る構造物用雨水排水構造における筒部の接続構造１によれば、排水継手１０の上端部１０ａが、上方筒部２に装着可能に形成されているので、排水継手１０の上端部１０ａを上方筒部２に装着させることで、排水継手１０を上方筒部２に接続することができる。また、排水継手１０の下端部１０ｂの外径が、下方筒部３の内径よりも小さいので、排水継手１０の下端部１０ｂを下方筒部３内に挿入することで、排水継手１０を下方筒部３に接続することができる。
以上より、上方筒部２と下方筒部３とを排水継手１０のみによって接続することが可能になり、排水継手１０と上方筒部２もしくは下方筒部３とをそれぞれ接続する接続部材を不要とすることができる。
しかも、本実施形態では、継手筒部材１１の上端部１２を、上方筒部２に装着可能に形成し、継手筒部材１１の下端部１３の外径を、下方筒部３の内径よりも小さくした上で、排水継手１０の上端部１０ａを、最も上側の継手筒部材１１の上端部１２で構成し、かつ排水継手１０の下端部１０ｂを、最も下側の継手筒部材１１の下端部１３で構成しているので、排水継手１０の構成要素として、継手筒部材１１と上方筒部２もしくは下方筒部３とをそれぞれ接続するための継手筒部材１１とは異なる構成要素を不要なものとすることができる。
【００３４】
なお、本発明の技術的範囲は前記実施形態に限定されるものではなく、本発明の趣旨を逸脱しない範囲において種々の変更を加えることが可能である。
例えば、前記実施形態では、継手筒部材１１は円筒状に形成されているものとしたが、これに代えて、角筒状に形成されていても良い。
また、係合部１７は、前記実施形態に示すものに限られるものではない。例えば、係合部を弾性体材料で形成しても良いし、係合部を下端部１３に周溝状に形成しても良い。
【００３５】
また、前記実施形態では、最も上側の継手筒部材１１を除く全ての継手筒部材１１は、上側の継手筒部材１１の係合部１７が、当該継手筒部材１１の弾性体リング部１６に係合することにより、上側の継手筒部材１１に吊り下げられるようにして保持されているものとしたが、これに限られるものではない。例えば、互いに隣り合う継手筒部材１１において上側の継手筒部材１１の下端部１３が、下側の継手筒部材１１の絞り部１４の内周面に当接することで、下側の継手筒部材１１が上側の継手筒部材１１を支持してもよい。
【００３６】
また、前記実施形態では、弾性体リング部１６を備えているものとしたが、これに限られるものではなく、弾性体リング部１６は無くても良い。この場合、互いに隣り合う継手筒部材１１において、上側の継手筒部材１１の係合部１７が下側の継手筒部材１１の弾性体リング部１６に係合することによって上側の継手筒部材１１が下側の継手筒部材１１を吊り下げる代わりに、例えば前述のように下側の継手筒部材１１が上側の継手筒部材１１を支持すればよい。さらにこの場合であっても、上側の継手筒部材１１の下端部１３が、下側の継手筒部材１１の上端部１２から抜け出ようとしたときには、下端部１３に形成された係合部１７が、上端部１２に設けられた被係合部１５に係合することで、下端部１３が上端部１２から抜け出ることが抑制され、両継手筒部材１１の接続を確実なものとすることができる。
【００３７】
また、前記実施形態では、被係合部１５および弾性体リング部１６は、互いに異なる部材でそれぞれ形成されているものとしたが、これに限られるものではなく、弾性体材料で両部材を一体に形成しても良い。
【００３８】
また、前記実施形態では、被係合部１５は、外周面が全周にわたって上端部１２の内周面に連結された環状に形成されるものとしたが、これに限られるものではない。例えば、被係合部は、上端部の周方向に間隔をあけるとともに、上端部の径方向の内側に向けて上端部の内周面に突設された複数の被係合部片で形成されていても良い。
【００３９】
また、前記実施形態では、上端部１２は多段筒状に形成されるものとしたが、これに限られるものではない。
また、前記実施形態では、上端部１２と被係合部１５とが異なる部材で形成されているものとしたが、一体に形成されていても良い。
また、前記実施形態では、継手筒部材１１は、絞り部１４を備えているものとしたが、絞り部１４は無くても良い。
【００４０】
また、前記実施形態では、上端部１２は、上方筒部２に装着可能に形成され、下端部１３の外径は、下方筒部３の内径よりも小さいものとしたが、これに限られるものではない。
また、前記実施形態では、上方筒部２の中心軸線および下方筒部３の中心軸線は、上下方向に沿って延びているものとしたが、下方筒部３が上方筒部２よりも下方に配設されていればこれに限られるものではなく、例えば上方筒部２の中心軸線が上下方向に対して傾斜して延びていても良い。
【００４１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４２】
構造物用雨水排水構造における筒部の接続構造上方筒部下方筒部排水継手  １０ａ  排水継手の上端部
１０ｂ  排水継手の下端部
継手筒部材継手筒部材の上端部継手筒部材の下端部絞り部被係合部弾性体リング部係合部  Ａ  隙間
【図１】
2010265725.tif 000003
【図２】
2010265725.tif 000004
【図３】
2010265725.tif 000005